(57)【要約】【課題】利用者の股間部に装着された排泄物受け具内の排泄物を吸引排出するホースを利用者の身体に当たることなくマットレス装置の外部に導出できるようにすること。【解決手段】マットレス本体２１と、マットレス本体の長手方向の中途部にマットレス本体の幅方向の側面或いは長手方向の側面の少なくとも一方に開口して形成された溝部２５ａ，２５ｂと、溝部内にホースを導入する導入口部を開口させて溝部に着脱可能に装着され上面がマットレス本体の上面と面一となり、下面に導入口部から上記溝部内に導入された吸引ホースが通される凹部３２が形成された弾性充填部材２９，３５を具備する。【選択図】      図２
2010136926.tif 000002
【特許請求の範囲】
【請求項１】
上面に仰臥した利用者の股間部に排泄物受け具を装着し、この排泄物受け具内の排泄物を一端がこの排泄物受け具に接続され他端が吸引装置に接続された吸引ホースによって吸引除去する排泄物処理装置を利用する際に用いられるマットレス装置であって、
マットレス本体と
このマットレス本体の長手方向の中途部に上記マットレス本体の幅方向の側面或いは長手方向の側面の少なくとも一方に開口して形成された溝部と、
この溝部内に上記吸引ホースを導入する導入開口部を開口させて上記溝部に着脱可能に装着され上面が上記マットレス本体の上面と面一となり、下面に上記導入開口部から上記溝部内に導入された上記吸引ホースが通される凹部が形成された弾性充填部材と
を具備したことを特徴とするマットレス装置。
【請求項２】
上記溝部は上記マットレス本体の幅方向全長にわたって形成された第１の溝部を有し、
上記弾性充填部材は長さ寸法が上記マットレス本体の幅寸法の２分の１よりも短く、しかもほぼ同じ長さ寸法に形成された一対の第１の弾性充填部材からなり、
一対の第１の弾性充填部材は、上記溝部の長手方向中央部で互いの一端を所定間隔で離間対向させこれらの一端間に上記導入開口部を形成して上記第１の溝部に装着されることを特徴とする請求項１記載のマットレス装置。
【請求項３】
上記マットレス本体には一端が上記第１の溝部に連通し他端が上記マットレス本体の長手方向の側面に開放した第２の溝部が形成され、
上記弾性充填部材は、上記第２の溝部に着脱可能に装着される第２の弾性充填部材を有することを特徴とする請求項２記載のマットレス装置。
【請求項４】
上記マットレス本体は、シート状の下部弾性部材の上面に上部弾性部材が積層され、上記溝部は上部弾性部材を分断して形成されていて、
上記下部弾性部材の上面の上記溝部に対応する部分には、上記溝部の幅寸法よりも大きな矩形状に形成された補強枠が設けられていることを特徴とする請求項１記載のマットレス装置。
【請求項５】
上記排泄物処理装置を利用しないときに、上記導入開口部に着脱可能に装着される弾性閉塞部材を有することを特徴とする請求項１記載のマットレス装置。
【請求項６】
上記マットレス本体の表面は外装地によって被覆されていて、この外装地のうちの上記溝部を被覆する部分は第１の防水シートによって形成されていることを特徴とする請求項１又は請求項３のいずれかに記載のマットレス装置。
【請求項７】
上記弾性充填部材の上面を除く表面は第２の防水シートによって被覆されていることを特徴とする請求項１乃至請求項３のいずれかに記載のマットレス装置。
【発明の詳細な説明】
【技術分野】
【０００１】
この発明は身体の不自由な利用者が排泄物処理装置を利用するときに好適するマットレス装置に関する。
【背景技術】
【０００２】
たとえば、マットレス装置に仰臥した利用者が自力で起上って排泄することのできない、病人などの場合、介護人が排泄物の処理をするということが行われる。しかしながら、介護人が排泄物の処理をするようにすると、介護人に掛かる負担が非常に大きくなるということがある。
【０００３】
そこで、介護人に掛かる負担を軽減するため、利用者がベッド装置のマットレス装置上に仰臥したままの状態で、排泄物を自動的に処理することができるようにした排泄物処理装置が開発されている。このような排泄物処理装置としては特許文献１に示される構造が知られている。
【０００４】
すなわち、排泄物処理装置はマットレス装置に仰臥した利用者の股間部に装着されるオムツカップ（排泄物受け具）を備えている。このオムツカップには汚物吸引ホースの一端が接続されている。この汚物吸引ホースは利用者の股間部から両脚部の間を通され、片方の脚を跨いで排泄物処理装置に接続される。つまり、吸引ホースはマットレス装置の上面を這わされて排泄物処理装置に接続される。
【０００５】
上記排泄物処理装置は貯蓄タンクを有し、この貯蓄タンクには上記吸引ホースを介して吸引されたオムツカップ内の排泄物が蓄積されるようになっている。
【特許文献１】特開２００４−１７３９３６号公報
【発明の開示】
【発明が解決しようとする課題】
【０００６】
ところで、上記構成の排泄物処理装置によると、一端がオムツカップに接続された吸引ホースがマットレス装置の上面を這わされて他端が排泄物処理装置に接続される。そのため、上記吸引ホースのマットレス装置の上面を這わされた部分は利用者の身体に触れることが避けられない。
【０００７】
とくに、上記吸引ホースの利用者の両脚の間に通された部分は利用者の脚部の内腿の部分に常時接触し、また片方の脚部を跨った部分はその脚部の脛の部分に常時接触することになる。
【０００８】
そのため、吸引ホースの利用者の身体に常時接触した部分は、利用者の身体を長時間にわたって擦ることになる。その結果、利用者の身体の吸引ホースによって擦り続けられた部分が炎症を起こすということがあったり、吸引ホースが利用者の身体に当たっていることで、利用者に不快感を与えなどのことがある。
【０００９】
この発明は、利用者が装着した排泄物受け具に一端が接続され他端が排泄物処理装置に接続される吸引ホースを、利用者の身体にほとんど当たることがないよう取り回すことができるようにしたマットレス装置を提供することにある。
【課題を解決するための手段】
【００１０】
この発明は、上面に仰臥した利用者の股間部に排泄物受け具を装着し、この排泄物受け具内の排泄物を一端がこの排泄物受け具に接続され他端が吸引装置に接続された吸引ホースによって吸引除去する排泄物処理装置を利用する際に用いられるマットレス装置であって、
マットレス本体と
このマットレス本体の長手方向の中途部に上記マットレス本体の幅方向の側面或いは長手方向の側面の少なくとも一方に開口して形成された溝部と、
この溝部内に上記吸引ホースを導入する導入開口部を開口させて上記溝部に着脱可能に装着され上面が上記マットレス本体の上面と面一となり、下面に上記導入開口部から上記溝部内に導入された上記吸引ホースが通される凹部が形成された弾性充填部材と
を具備したことを特徴とするマットレス装置にある。
【００１１】
上記溝部は上記マットレス本体の幅方向全長にわたって形成された第１の溝部を有し、
上記弾性充填部材は長さ寸法が上記マットレス本体の幅寸法の２分の１よりも短く、しかもほぼ同じ長さ寸法に形成された一対の第１の弾性充填部材からなり、
一対の第１の弾性充填部材は、上記溝部の長手方向中央部で互いの一端を所定間隔で離間対向させこれらの一端間に上記導入開口部を形成して上記第１の溝部に装着されることが好ましい。
【００１２】
上記マットレス本体には一端が上記第１の溝部に連通し他端が上記マットレス本体の長手方向の側面に開放した第２の溝部が形成され、
上記弾性充填部材は、上記第２の溝部に着脱可能に装着される第２の弾性充填部材を有することが好ましい。
【００１３】
上記マットレス本体は、シート状の下部弾性部材の上面に上部弾性部材が積層され、上記溝部は上部弾性部材を分断して形成されていて、
上記下部弾性部材の上面の上記溝部に対応する部分には、上記溝部の幅寸法よりも大きな矩形状に形成された補強枠が設けられていることが好ましい。
【００１４】
上記排泄物処理装置を利用しないときに、上記導入開口部に着脱可能に装着される弾性閉塞部材を有することが好ましい。
【００１５】
上記マットレス本体の表面は外装地によって被覆されていて、この外装地のうちの上記溝部を被覆する部分は第１の防水シートによって形成されていることが好ましい。
【００１６】
上記弾性充填部材の上面を除く表面は第２の防水シートによって被覆されていることが好ましい。
【発明の効果】
【００１７】
この発明によれば、マットレス本体に溝部を設け、この溝部内に吸引ホースを導入する導入開口部を開口させて上記溝部内に弾性充填部材を装着し、溝部内に導入された吸引ホースを上記弾性充填部材の下面に形成された凹部に通してマットレス本体の側面から外部に導出することができる。
【００１８】
そのため、マットレス本体の上面に上記吸引ホースをほとんど露出させずにすむから、マットレス本体の上面に仰臥する利用者の身体に上記吸引ホースが当たるのを防止することができる。
【発明を実施するための最良の形態】
【００１９】
以下、この発明の一実施の形態を図面を参照しながら説明する。  
図１は背上げ式のベッド装置１を示し、このベッド装置はベースフレーム２を備えている。このベースフレーム２は下端にストッパ付きのキャスタ３が設けられた脚部材４によって所定の高さで移動可能に支持されている。
【００２０】
上記ベースフレーム２にはベッドフレーム５が図示しない上下駆動機構によって上下動可能に設けられている。このベッドフレーム５には、長手方向一端にヘッドボード６、他端にフットボード７が設けられていて、内部には詳細は図示しないが、回動可能に連結された複数の床部に分割された床板８が設けられている。この床板８の上記ヘッドボード６側に位置する床部９、つまり背上げ床部９は図示しない起伏駆動機構によって起伏駆動させることができるようになっている。
【００２１】
上記床板８の上面には弾性的に屈曲可能な構造のマットレス装置１１が載置され、このマットレス装置１１の上面に利用者Ｕが仰臥するようになっている。マットレス装置１１の上面に利用者Ｕが仰臥した状態で、上記背上げ床部９を起上方向に駆動すれば、この背上げ床部９によってマットレス装置１１は長手方向の中途部が屈曲されながら一端部が上昇する。それによって、利用者Ｕは上半身が起こされることになる。
【００２２】
利用者Ｕが自力で起上ることができない病人などの場合、利用者Ｕの排泄物は排泄物処理装置１３によって処理される。この排泄物処理装置１３は装置本体１４と、上記利用者Ｕの股間部に液密な状態で装着されるオムツ状の排泄物受け具１５と、上記装置本体１４に一端を接続し他端を上記排泄物受け具１５に接続したホース１６によって構成されている。ホース１６は、通常、排泄物吸引用と洗浄液供給用の２本で１組となっていて、２本のホース１６は外装チューブなどに挿通されて一体化されている。
【００２３】
上記装置本体１４の内部には、詳細は図示しないが、上記排泄物受け具１５内に排泄される利用者の排泄物を上記ホース１６を通じて吸引する吸引ポンプ、この吸引ポンプによって吸引された排泄物を貯える貯蔵タンク、上記排泄物受け具１５に洗浄液を供給して利用者Ｕの股間部を洗浄する供給ポンプなどが設けられている。
【００２４】
上記ホース１６はある程度の荷重に対して断面形状が押し潰されて閉塞することのない硬さを持った樹脂などによって形成されている。
【００２５】
図２と図３に示すように、上記マットレス装置１１はマットレス本体２１を有する。このマットレス本体２１は、比較的硬質なウレタンフォームなどのシート状の弾性材料によって矩形状に形成された下部弾性部材２２と、この下部弾性部材２２の上面に積層された上部弾性部材２３及び袋状に縫製されこれらの積層体を被覆した外装地２４によって形成されている。上部弾性部材２３は下部弾性部材２２よりも柔らかな弾性材料によって形成されていて、
上記マットレス本体２１は第１乃至第３の３つの部分２３ａ〜２３ｃに分割されている。第１の部分２３ａは下部弾性部材２２のほぼ半分の長さ寸法を有する矩形状であって、第２、第３の部分２３ｂ，２３ｃは長さ寸法が下部弾性部材２２の長さ寸法の半分よりも短く、幅寸法が下部弾性部材２２の幅寸法の半分よりも短く形成されている。
【００２６】
そして、マットレス本体２１の３の分割された３つの部分２３ａ〜２３ｃのうち、第１の部分２３ａの上部弾性部材２３は下部弾性部材２２の長手方向一端から中途部にわたって積層されている。
【００２７】
上記第２、第３の部分２３ｂ，２３ｃの上部弾性部材２３は下部弾性部材２２の長手方向他端部に、一端面を上記第１の部分２３ａの上部弾性部材２３の長手方向の端面に対して所定間隔で離間させ、かつ下部弾性部材２２の幅方向に対して互いに所定の間隔で離間して積層されている。
【００２８】
それによって、下部弾性部材２２の上面には、図２に示すように上記上部弾性部材２３が分断された部分によってＴ字状の溝部が形成される。Ｔ字状の溝部のうち、マットレス本体２１の長手方向中途部に、幅方向全長にわたって形成され両端がそれぞれマットレス本体２１の幅方向の両側面に開口した溝部を第１の溝部２５ａとし、この第１の溝部２５ａに一端が連通し、他端がマットレス本体２１の長手方向の側面に開口した溝部を第２の溝部２５ｂとする。なお、下部弾性部材２２と上部弾性部材２３は接着によって一体化されている。
【００２９】
上記外装地２４は、積層された下部弾性部材２２と上部弾性部材２３の表面を被覆している。この外装地２４の上記第１、第２の溝部２５ａ，２５ｂの表面、つまり両側面と底面を被覆した部分は液体を吸収しない、樹脂などの第１の防水シート２４ａによって形成されている。
【００３０】
図４に示すように、上記第１の溝部２５ａの部分の下部弾性部材２２の上面と上部弾性部材２３の上面との間には、鋼線などによって上記第１の溝部２５ａの幅寸法よりも大きな幅寸法の矩形状に形成された補強枠２７が設けられている。
【００３１】
それによって、マットレス本体２１が起上する上記背上げ床部９によって屈曲されたとき、補強枠２７が設けられた部分の第１の溝部２５ａが極端に押し潰されるのが防止されるようになっている。
【００３２】
なお、補強枠２７はマットレス本体２１の幅寸法よりも短い長さ寸法に設定されていて、布地２７ａによって覆われている。この布地２７ａは上記第１の溝部２５ａの内面を被覆した第１の防水シート２４ａの下面側に位置している。
【００３３】
上記第１の溝部２５ａには一対の第１の弾性充填部材２９が装着される。図４に示すように第１の弾性充填部材２９は芯材３１ａと、この芯材３１ａを被覆したカバー３１ｂからなる。芯材３１ａは、上部弾性部材２３と同じ硬さの弾性材料によって高さ寸法が第１の溝部２５ａの深さ寸法と同じに形成され、長さ寸法がマットレス本体２１の幅寸法の２分の１よりも短く形成されていて、下面には凹部３２が形成された断面逆凹字状をなしている。
【００３４】
カバー３１ｂは、上記芯材３１の上面を被覆する部分が上記外装地２４と同じ布地３２ａによって形成され、上面以外を被覆した部分は第２の防水シート３１ｃによって形成されている。
【００３５】
図３に示すように、上記構成の一対の第１の弾性充填部材２９を、それぞれ一方の端面をマットレス本体２１の幅方向の端面に面一にして上記第１の溝部２５ａに装着すると、一対の第１の弾性充填部材２９の他方の端面間には上記第１の溝部２５ａに連通する導入開口部３３が形成される。
【００３６】
上記排泄物処理装置１３を使用しないとき、上記導入開口部３３には、上記上部弾性部材２３と同じ硬さの弾性材料を布地で被覆して形成された弾性閉塞部材３４（図２に示す）が装着される。それによって、上記導入開口部３３を閉塞することができるようになっている。
【００３７】
上記第２の溝部２５ｂには、この第２の溝部２５ｂと同じ長さ寸法の第２の弾性充填部材３５が装着される。この第２の弾性充填部材３５は図２に示すように、上記第１の弾性充填部材２９と同様、芯材３１ａの上面が布地からなるカバー３１ｂによって被覆され、上面以外の表面を第２の防水シート３１ｃによって被覆されていて、下面には長手方向全長にわたって凹部３２が形成されている。
【００３８】
そして、利用者Ｕが上記排泄物処理装置１３を利用する場合、図３に鎖線で示すように利用者Ｕの股間部に装着された排泄物受け具１５と、装置本体１４を接続したホース１６は上記導入開口部３３から第１の溝部２５ａに導入される。
【００３９】
上記装置本体１４がベッド装置１の側方に設置される場合、上記第１の溝部２５ａに導入されたホース１６は、第１の弾性充填部材２９の凹部３２を通されてマットレス本体２１の幅方向の端面に開口した上記第１の溝部２５ａの一端から外部に導出されて上記装置本体１４に接続される。
【００４０】
なお、装置本体１４がベッド装置１のフットボード７側に設置される場合には、上記ホース１６を上記導入開口部３３から第２の溝部２５ｂに挿入し、この第２の溝部２５ｂの上記マットレス本体２１の長手方向の端面に開口した端部から外部に導出すればよい。
【００４１】
このように構成されたマットレス装置１１によれば、利用者Ｕの股間部に装着された排泄物受け具１５に一端が接続されたホース１６は、上記第１の溝部２５ａあるいは第２の溝部２５ｂに通してマットレス装置１１の側面から外部に導出させ、排泄物処理装置１３の装置本体１４に接続することができる。
【００４２】
つまり、上記ホース１６はマットレス装置１１の上面を這わすことなくマットレス本体２１の外部に導出することができる。そのため、上記ホース１６がマットレス装置１１の上面に仰臥した利用者Ｕの身体に接触することがなくなるから、ホース１６との接触によって利用者Ｕの身体に炎症が生じるのを防止することができる。しかも、ホース１６が利用者Ｕの身体に接触することがないことで、利用者Ｕに不快感を与えるということもなくなる。
【００４３】
マットレス装置１１に幅方向に貫通する第１の溝部２５ａを形成したことで、ホース１６をマットレス装置１１の幅方向の一端と他端とのどちらからでも外部に導出することができる。しかも、マットレス装置１１には長手方向の側面に開口する第２の溝部２５ｂも形成したから、上記ホース１６を長手方向の側面から導出することもできる。
【００４４】
そのため、装置本体１４をマットレス装置１１の幅方向や長手方向のいずれの方向であっても設置することができるから、上記装置本体１４の設置に制限を受けることがなく、使い勝手が向上するということがある。
【００４５】
第１、第２の溝部２５ａ，２５ｂに、凹部３２が形成された第１、第２の弾性充填部材２９，３５を着脱可能に装着するようにした。そのため、上記第１の溝部２５ａや第２の溝部２５ｂにホース１６を挿通したり、挿通されたホース１６を取り出すなどの作業を容易に行なうことができる。
【００４６】
マットレス本体２１の第１の溝部２５ａが形成された部分の、下部弾性部材２２と上部弾性部材２３との接触面間に補強枠２７を設けるようにした。ベッド装置１が背上げ式の場合、背上げ床部９を起上させると、マットレス本体２１は中途部、とくに上部弾性部材２３が除去された第１の溝に２５ａの箇所が大きく屈曲され易い。
【００４７】
背上げ床部９を起上させた場合、上記補強枠２７によって上記第１の溝部２５ａが形成された部分の下部弾性部材２２が強く屈曲されるのが防止されるから、第１の溝部２５ａに挿通されたホース１６も押し潰されることがない。つまり、背上げ時にマットレス本体２１が屈曲されても、その屈曲によってホース１６が潰れて機能が低下するのを確実に防止することができる。
【００４８】
一方、利用者Ｕが身体を拭く場合などには、利用者Ｕから排泄物受け具１５を取り外すことがある。その際、排泄物受け具１５から上記ホース１６を取り外すことになるから、排泄物受け具１５やホース１６に残留する液体が第１の溝部２５ａや第２の溝部２５ｂに漏れ出ることがある。
【００４９】
上記第１の溝部２５ａと第２の溝部２５ｂの内面は第１の防水シート２４ａによって被覆され、第１、第２の溝部２５ａ，２５ｂに装着された第１、第２の弾性充填部材２９，３５の上面を除く表面は第２の防水シート３２ｂによって被覆されている。
【００５０】
そのため、排泄物受け具１５やホース１６に残留する液体が第１の溝部２５ａや第２の溝部２５ｂに漏れ出ても、その液体がマットレス本体２１を形成する下部弾性部材２２や上部弾性部材２３に染み込んだり、第１、第２の弾性充填部材２９，３５の芯材３１ａに染み込むことがない。しかも、それらの表面の第２の防水シート３２ｂに付着した液体を容易に拭き取って清掃することができる。
【００５１】
上記一実施の形態ではマットレス本体２１に第１の溝部２５ａと第２の溝部２５ｂを形成したが、上記マットレス本体２１には第１の溝部２５ａと第２の溝部２５ｂのどちらか一方だけを形成するようにしてもよい。
【００５２】
マットレス本体２１に第１の溝部２５ａを形成した場合、その第１の溝部２５ａに装着される第１の弾性充填部材２９を、マットレス本体２１の幅寸法の２分の１よりも小さな長さ寸法の２つの第１の弾性充填部材２９に分割したが、一対の第１の弾性充填部材２９の長さ寸法をマットレス本体２１の幅寸法の２分の１に設定し、排泄物処理装置１３を使用するときには一対の第１の弾性充填部材２９を幅方向外方にずらしてこれらの一端間に導入開口部３３を形成し、使用しないときには幅方向内方に移動させて上記導入開口部３３を閉塞するようにしてもよい。
【００５３】
また、マットレス本体２１に第２の溝部２５ｂだけを形成した場合、第２の弾性充填部材３５を第２の溝部２５ｂと同じ長さ寸法にし、排泄物処理装置１３を使用するときには第２の弾性充填部材３５を長手方向外方にずらしてその一端側に導入開口部３３を形成するようにしてもよい。
【図面の簡単な説明】
【００５４】
【図１】この発明の一実施の形態を示す背上げ式のベッド装置の斜視図。
【図２】マットレス本体と、第１、第２の弾性充填部材の分解斜視図。
【図３】第１、第２の弾性充填部材が装着されたマットレス装置の平面図。
【図４】マットレス本体の第１の溝部の部分の拡大断面図。
【符号の説明】
【００５５】
１…ベッド装置、１１…マットレス装置、１３…排泄物処理装置、１５…排泄物受け具、１６…ホース、２１…マットレス本体、２２…株段製剤、２３…上部弾性部材、２４…外装地、２４ｃ…第１の防水シート、２５ａ…第１の溝部、２５ｂ…第２の溝部、２７…補強枠、２９…第１の弾性充填弾性部材、３１ｃ…第２の防水シート、３３…導入開口部、３５…第２の弾性充填部材。
【図１】
2010136926.tif 000003
【図２】
2010136926.tif 000004
【図３】
2010136926.tif 000005
【図４】
2010136926.tif 000006